(57)【要約】【課題】警報装置に接続された画像記録装置において、利用者に特段の操作を要求することなく、記録画像に対する操作を制限できるようにする。【解決手段】画像記録装置は、操作部での操作入力に応じて、監視カメラが撮影した画像を記憶部に記録する処理及び、記憶部に記録された画像の再生、検索、消去などの処理を行う。画像記録装置は、操作ロック処理部を有し、警備装置が警戒セット状態に設定されているとき（Ｓ１１のＹＥＳ）は、操作部の操作入力を無効にする（Ｓ１２）。したがって、警戒セット状態では、侵入者が画像を再生したり、消去したりすることを防止することができる。また、警戒解除がされた状態（Ｓ１３のＹＥＳ）では、利用者があらかじめ設定した有効又は無効状態となる（Ｓ１４）。【選択図】      図４
2004260438.tif 000002
【特許請求の範囲】
【請求項１】
警報装置に接続され、監視カメラからの画像を記録する画像記録装置において、
前記警報装置からの情報を取得する取得部と、
画像を記録する記憶部と、
利用者の操作入力を受ける操作部と、
前記監視カメラからの画像を前記記憶部に記録する処理を行う画像処理部であって、前記操作部からの操作入力に応じて、前記監視カメラの画像を前記記憶部に記録する処理又は、前記記憶部に記録された画像に対する処理を行う画像処理部と、
前記操作部の操作入力を有効又は無効に設定する操作ロック処理部であって、前記取得部が警戒セット情報を取得すると、前記操作入力を無効に設定する操作ロック処理部と、
を具備することを特徴とする画像記録装置。
【請求項２】
前記操作ロック処理部は、前記有効又は無効の設定が、前記警報装置が警戒セット状態以外にあるときは利用者により設定可能であり、前記取得部が警戒解除状態を取得すると、前記操作部の操作を前記利用者が設定した有効又は無効に設定する、請求項１記載の画像記録装置。
【請求項３】
前記操作ロック処理部は、前記取得部が対処状態を取得すると、前記操作部の操作を有効に設定する請求項１又は２に記載の画像記録装置。
【発明の詳細な説明】
【０００１】
【発明の属する技術分野】
本発明は、監視カメラにて撮影した画像を記録する画像記録装置に関し、特に警報装置と連動して使用する画像記録装置に関する。
【０００２】
【従来の技術】
従来、監視カメラと警報装置とを組み合わせた監視カメラシステムが、提案されている（例えば、特許文献１参照。）。この監視カメラシステムでは、警報装置にて異常を検出すると、そのとき監視カメラが撮影した画像が記録装置に記録される。記録された画像は、異常検知の原因となった侵入者などを特定するために役立てられる。
【０００３】
このため、監視カメラが撮影した画像の記録を停止する、画像を検索する、再生する、あるいは、記録した画像を消去するなどの操作は、権限を有する者だけが行えるようにしている。
権限を有する操作者は、所望の操作をする前に、ＩＤカードを操作してＩＤコードを読み取らせる。画像記録装置は、入力されたＩＤコードがあらかじめ登録されているＩＤコードと一致した場合に限り、続いて行われる操作を受け付けるようにしている。
【０００４】
【特許文献１】
特開２０００−２２４５７０号公報
【０００５】
【発明が解決しようとする課題】
監視カメラシステムは、侵入者の画像記録以外の用途にも用いられる。例えば、警報装置又は画像記録装置を操作した操作者の画像記録、来訪者の画像記録、店舗内の状況画像の定時記録、現状況画像の表示などにも使用されている。
監視カメラシステムをこのように多目的に使用する場合、画像記録装置を操作する機会が増える。したがって、操作の都度、ＩＤコードを入力しなければならないのは利用者にとって煩雑に過ぎ、不便である。
【０００６】
しかし、権限がない者が操作できるようになることも好ましくない。警戒セット状態で画像に対する操作が可能であると、侵入者により画像が消去されてしまうことになる。
本発明は、警報装置に接続された画像記録装置において、利用者に特段の操作を要求することなく、記録画像に対する操作を制限できるようにすることを目的とする。
【０００７】
【課題を解決するための手段】
本発明は、上記目的を達成するためになされたものである。本発明の画像記録装置は、警報装置が異常を検知したときに、監視カメラが撮影した画像を記憶部に記録する。記録された画像は、異常発生の原因の解析などに用いられる。画像記録装置は、利用者の操作に応じて、監視カメラが撮影した画像を記憶部に記録する処理、記憶部に記録された画像を再生、検索、消去する処理を行う。
【０００８】
本発明の画像記録装置は、操作ロック処理部を有し、警備装置が警戒セット状態に設定されているときは、操作部における操作入力を無効にする。したがって、警報装置が警戒セット状態に設定されると、誰が画像記録装置の操作部を操作しても無効となるので、侵入者が画像を再生したり、消去したりすることを防止することができる。
【０００９】
警報装置が警戒セット状態に設定されていないときは、操作部の操作を有効とすることにより、利用者がＩＤコードの入力などのわずらわしい操作を必要とせずに、画像の管理をすることができる。
なお、警戒セット状態以外のときに、操作部の操作を無効にセットすることもできる。この有効又は有効の設定は、利用者があらかじめ設定するようにできる。
【００１０】
また、本発明は、警報装置が警戒セット状態に設定されているときでも、警備員の対処状態に設定されたときは、操作部の操作を有効にすることができる。これにより、警報装置からの異常通報を受けて到着した警備員は、即座に記録された画像の内容を確認することができる。
【００１１】
【発明の実施の形態】
本発明の実施形態について図を用いて説明する。
図１を用いて、本発明の画像記録装置を用いた監視カメラシステムを説明する。
画像記録装置１が警報装置２に接続される。警報装置２は、通信回線３を介して、遠隔の監視センタ４と通信を行う。
【００１２】
警備領域に、防災センサ、防犯センサなどの各種センサ５が配置され、警報装置２に接続される。監視領域を撮影する外部カメラ６が画像記録装置１に接続される。
なお、外部カメラ６が撮影した画像について、動き検知処理を行うことにより、外部カメラ６をセンサ５の１つとして用いることもできる。
【００１３】
警報装置２は、セット／解除操作部７を有する。利用者がＩＤカードを用いてセット／解除操作部７を操作することにより、警報装置２の警備モードは、警戒セットモード又は警戒解除モードに設定される。また、警備員が監視領域内で対処を行おうとするときは、ＩＤカードを用いて、又は監視センタ４からのコマンドにより対処モードに設定する。
警報装置２は、ＩＤカードから読み取ったＩＤコードを照合確認した上で、警備モードを操作入力されたモードに設定する。
【００１４】
警報装置２は、警備モードの切替設定があると、その設定情報を画像記録装置１に送信する。設定情報には、日時、操作者ＩＤ、警備モードの移行情報が含まれる。
警戒セットモードにおいてセンサ５が異常を検知すると、警報装置２は、通信回線３を介して、遠隔の監視センタ４へ異常発報する。また、異常検知情報を画像記録装置１に通知する。
【００１５】
画像記録装置１は、外部カメラ６が接続され、更に本体カメラ８を有する。本体カメラ８は、画像記録装置１又は警報装置２を操作する者の顔が撮影できるよう角度調整されて固定されている。本体カメラ８には、照明部９が設けられる。外部カメラ６は、監視領域の画像を撮影するが、本体カメラ８と同様に操作者を撮影するようにしても良い。
【００１６】
画像記録装置１には、更に、操作部１０、液晶表示部１１が設けられる。
操作部１０は、カメラ切替スイッチ１２及び操作ボタン１３を含む。操作部１０を操作することにより、任意のカメラ６、８が撮影した画像を記憶部２１に記録することができる。操作部１０を操作することにより、記録画像の検索、液晶表示部１１への表示、消去ができる。
【００１７】
画像記録装置１は、警報装置２が異常を検知し、異常検知情報を受信したときは、異常を検知したセンサ５に対応する外部カメラ６又は本体カメラ８が撮影した画像を記憶部２１に記録する。これにより、記憶部２１に、異常発生時の状況を撮影した画像を残すことができる。
また、警報装置２においてセット／解除操作部７が操作され、警備モード設定情報を受信すると、受信した設定情報と本体カメラ８が撮影した画像とを記憶部に記録する。これにより、操作者の画像を添付して警報装置２の操作履歴を残すことができる。
【００１８】
図２を用いて画像記録装置１の構成を説明する。
制御部１４は、ＣＰＵにより構成され、画像記録装置１の各部の制御を行う。
制御部１４に、警報装置インタフェース１５（以下、「インタフェース」は「Ｉ／Ｆ」と略す。）を介して警報装置２が、外部カメラＩ／Ｆ１６を介して外部カメラ６が接続される。
【００１９】
制御部１４に、本体カメラ８、測距センサ１７、照明部９、照度センサ１８が接続される。
制御部１４は、撮影処理部１９、記録処理部２０、表示処理部２２、操作ロック処理部２３を含む。
撮影処理部１９は、測距センサ１７と照度センサ１８の検知出力により、ピント調整、露出調整を行い、必要があれば照明部９を点灯して、本体カメラ８による撮影を行う。本体カメラ８による撮影は、所定時間間隔で継続して行われる。
【００２０】
記録処理部２０は、リングバッファを有しており、外部カメラ６と本体カメラ８の撮影画像を所定フレーム数だけ保持する。保持された画像は、最も古い画像を新しく受信した画像で上書きしていくことで最新の画像が所定フレーム数だけ保持される。例えば、１秒間隔で画像を受信し、１０フレームを保持する場合は、過去１０秒間の画像が保持されることになる。
【００２１】
保持された画像は、所定の条件に応じて、記録処理部２０により記憶部２１に記録される。この所定の条件については後述する。記憶部２１は、フラッシュメモリにより構成される。記憶部２１に記録される情報は図示しない挿入口より挿入されるメモリカードや外部接続される電子機器に転送可能とされる。
操作部１０は、カメラ切替スイッチ１２と操作ボタン１３から構成される。
操作ボタン１３には、「表示」「検索」「録画」「消去」などのボタンが用意されている。カメラ切替スイッチ１２は、外部カメラ６又は本体カメラ８を選択するために設けられる。
【００２２】
記録処理部２０は、操作ボタン１３で「録画」が選択されると、カメラ切替スイッチ１２により選択されている外部カメラ６又は本体カメラ８による画像を記憶部２１に記録する。また、警報装置２から異常検知情報を受信すると、異常を検知したセンサ５に対応する外部カメラ６又は本体カメラ８による画像を記憶部２１に記録する。さらに、警報装置２から警備モードの設定情報を受信し、警備モードが切り替えられたと判定すると、本体カメラ８による画像を記憶部２１に記憶する。
これにより、警報装置２を操作した操作者の画像が記録される。
【００２３】
表示処理部２２は、操作ボタン１３で「表示」「検索」が選択されると、外部カメラ６若しくは本体カメラ８より入力される現在の画像、又は記憶部２１に記録された情報を液晶表示部１１に表示し、操作部１０の操作に従った処理を行う。
操作ボタン１３で「消去」が選択されたときは、記録処理部２０により、記憶部２１に記録された情報が消去される。
【００２４】
操作ロック処理部２３は、制御部１４に入力される操作部１０の操作を有効又は無効に設定する。
警報装置Ｉ／Ｆ１５が警備モードとして警戒セットモードを受信すると、操作を無効に設定する。これにより、侵入者などによる記録画像の検索、消去を防止できるようになる。
【００２５】
警備モードとして対処モードを受信すると、操作を有効に設定する。これにより、警備員による画像の記録、検索、消去などの操作が可能となる。
警戒解除モードの場合については、権限のある利用者又は監視センタ４からのコマンドにより、操作の有効又は無効を設定できるようになっている。
【００２６】
有効に設定した場合、警戒解除状態では、ＩＤコードの入力などのわずらわしい操作を必要とせずに、利用者が任意に操作部を操作して画像の管理をすることができる。無効に設定した場合は、操作部を通常の方法で操作しただけでは画像の管理をすることができないので、権限のない利用者による画像の管理を禁止することができる。
【００２７】
図３を用いて、記録処理部２０による、撮影画像を記憶部２１に記録する処理を説明する。図示の処理は、所定時間間隔で実行される。
警報装置２で異常が検知されると、画像記録装置１に異常検知情報が送信される。警報装置Ｉ／Ｆ１５が異常検知情報を受信する（ステップＳ１のＹＥＳ）と、リングバッファに保持された画像を記憶部２１に記録する（ステップＳ２）。
【００２８】
このとき記録される画像は、異常を検知したセンサ５に対応する外部カメラ６又は本体カメラ８が撮影した画像で、異常検知時の画像１枚と、その前後１秒の画像各１枚の計３枚の画像とされる。記録される画像には、異常情報、日時、カメラ番号などが添付される。
【００２９】
警報装置２で警備モードの切替操作が行われると、設定情報が画像記録装置１に送信される。警報装置Ｉ／Ｆ１５が受信した警備モードが変化する（ステップＳ３のＹＥＳ）と、リングバッファに保持された画像を記憶部２１に記憶する（ステップＳ４）。このとき記録される画像は、本体カメラ８が撮影した画像であり、切替操作時の画像１枚と２秒前の画像１枚との計２枚の画像とされる。画像には、日時、操作者ＩＤ、警備モードの移行情報を含む設定情報が付される。
【００３０】
利用者は、例えば外部カメラ６が現在撮影している画像を記録しようとするとき、カメラ切替スイッチ１２で外部カメラ６を選択し、操作ボタン１３の録画ボタンを操作する。この記録操作がされると（ステップＳ５のＹＥＳ）、外部カメラ６が撮影した現画像が記憶部２１に記録される（ステップＳ６）。記録される画像には、日時、カメラ番号などが添付される。なお、このとき本体カメラ８にて操作者を撮影し前記記録される画像に添付する構成としてもよい。
【００３１】
図４を用いて、操作ロック処理部２３の処理を説明する。図示の処理は、所定時間間隔で実行される。
警報装置２において、警備モードを切り替える操作がされ、警報装置Ｉ／Ｆ１５に警戒セットモードが入力される（ステップＳ１１のＹＥＳ）と、操作が無効に設定される（ステップＳ１２）。
【００３２】
警備モードとして警戒解除モードが入力される（ステップＳ１３のＹＥＳ）と、利用者又は監視センタによりあらかじめ設定した有効又は無効に設定をする（ステップＳ１４）。
警備モードとして対処モードを受信する（ステップＳ１５のＹＥＳ）と、操作を有効に設定をする（ステップＳ１６）。
【００３３】
以上説明したように、警戒セットモード時に誰も記録画像に対する操作ができなくなることにより、警戒解除モード時には、権限のない者が操作をすることを許容することができる。これにより、警戒解除モード時には、ＩＤコードの入力なしに操作ができるので、操作者の負担を軽減できる。また、警戒解除モード時であっても、従来と同様に、権限のあるものだけが操作をするように設定をすることも可能になっている。また警戒解除モード時の設定に関わらず、対処モード時には操作が許容されるので、警備員は煩わしいＩＤコード入力に時間をかけることなく即座に記録部２１内の情報を確認することができる。
【００３４】
【発明の効果】
本発明によれば、警報装置に接続された画像記録装置において、利用者に特段の操作を要求することなく、記録画像に対する操作を制限できるようになる。
【図面の簡単な説明】
【図１】本発明を適用した監視カメラシステムの全体構成を示す図である。
【図２】図１の画像記録装置の構成を示す図である。
【図３】図２の記録処理部の処理を示すフローチャートである。
【図４】図２の操作ロック処理部の処理を示すフローチャートである。
【符号の説明】
１…画像記録装置
２…警報装置
３…通信回線
４…監視センタ
５…センサ
６…外部カメラ
７…セット／解除操作部
８…本体カメラ
９…照明部
１０…操作部
１１…液晶表示部
１２…カメラ切替スイッチ
１３…操作ボタン
１４…制御部
１５…警報装置Ｉ／Ｆ
１６…外部カメラＩ／Ｆ
１７…測距センサ
１８…照度センサ
１９…撮影処理部
２０…記録処理部
２１…記憶部
２２…表示処理部
２３…操作ロック処理部
【図１】
2004260438.tif 000003
【図２】
2004260438.tif 000004
【図３】
2004260438.tif 000005
【図４】
2004260438.tif 000006